(57)【特許請求の範囲】
【請求項１】
コンクリート用ホッパ排出ゲートの筒状のラバーシールであって、ゲートを形成するラバーシールには全体として強制的に円筒形状を維持し、半開状態でも楕円開口を維持するような金属製の弾性板を埋め込み、該弾性板は一対の対向する半円形状の弾性部材であって、共に水平に位置するように設けるとともに、該弾性部材を設けた前記ラバーシールの外側には排出ゲートを形成する締付部に設け、常にラバーシールを強制的に円筒形状を維持するように付勢するとともに、前記締付部は、前記ラバーシールの外側にローラからなる一対の締付部材が相対向する位置に配設され、半開状態で全体が菱形に屈曲する一対のローラであることを特徴とするコンクリート用ホッパ排出ゲート。
【発明の詳細な説明】
【技術分野】
【０００１】
本発明は、生コンクリートプラントなどに使用するコンクリート等のホッパ排出ゲートのラバーシールに関する。
【背景技術】
【０００２】
本発明は、生コンクリートプラントなどに使用するコンクリート等のホッパの排出ゲートにおいて、生コンクリートが液状であり、かつ、砂利やセメントミルクや水などから構成されているため、水を遮断する必要から所謂ラバーシールゲートが採用されているが、例えば、特許文献１に開示されているように、ラバーシールを一対のローラで挟圧し完全に水をシールしていた。
【発明の開示】
【発明が解決しようとする課題】
【０００３】
ところで、上述したように、生コンクリートプラントなどに使用するコンクリートホッパの排出ゲートは、ラバーシールを一対のローラで挟圧するコンクリート用排出ゲートでスムースな排出ができないという問題点があり、バッチャープラント設備のなかで唯一自動運転ができない部分であった。
その理由は、筒状のラバーシールの排出口を外側から一対のローラで挟んでいるが、通常、建築用の生コンクリートは液状であり、この生コンクリートをコンクリートホッパからミキサー車に積み込む時、一度に全開するとミキサー車が飲み込めず溢れてしまったり、生コンクリートがはねて車を汚したりすることから、ゲートをオペレータの勘と経験で調整しながら開いて行くのが現状であり、機械による自動運転が難しいものであった。
また、ゲート開調整が難しい理由として、製造する生コンクリートが何千種類とありそれぞれの流動性が違うこと、そして、砂利（40ｍｍ以下）が含まれる為、少しのゲートの開きであれば砂利が詰まり排出ができなくなり、詰まりを除いて排出できるようにゲートを開くと、どっと生コンが排出してあふれたり、跳ねたりする不都合があった。そして、その部分の調整が機械だけでは難しく、人の経験による操作が必要となり自動運転ができない理由でもあった。
【０００４】
従来のゲートの開閉方法を、図１２〜１４を用いて説明すると、図１２に示すように、通常の閉状態ではホッパ排出口aに筒状のラバーシールｂが締め付けバンド等で固着され、一対の締付ローラｃとシリンダｄからなる締付部材eでラバーシールｂを挟んゲートを構成しているが、コンクリート製品を排出してミキサー車に積み込む場合には、図１３に示すように、オペレータの経験でゲートを開けたり閉じたりして、様子を見ながらゲートを少しずつ開けて、最後に図１４に示すように全開とし、なるべく短時間にコンクリートホッパからミキサー車に積み込まなくてはならない。すなわち、図１２に示すように、現状のゲートは筒状のラバーシールbを一対の締付ローラcとシリンダｄで挟圧し、排出時には、図１３に示すように、一対のローラｃを少し後退させて細長い隙間の開口ｆを形成して排出する。
しかし、細長い隙間の開口ｆでは初めは排出するが、直ぐに、図１３(ｃ)に示すように、砂利Ｊ等が開口ｆに詰まり引っ掛って排出ができなくなる。そこで、引っ掛った砂利を排除するために開口を広げると、どっと大量の生コンクリートが排出されて、ミキサー車の供給口が飲み込めず、供給口から溢れてしまうことがあった。つまり、少しの開状態でも砂利が詰まらない構造が必要であるが、従来の一対の平行ローラーでは細長い隙間x7であり、砂利が詰まらない開口となると排出量が多くてミキサー車が生コンを飲み込まなかったり汚れたりするので、それを回避する細長い幅の開口では、砂利Ｊが開口ｆに詰まってしまうという不都合があった。
なお、ラバーシールの耐久性を高めるために、耐摩耗部材をラバーシールに埋め込むことが特許文献２、特許文献３に提案されているが、これらのラバーシールのゲートは、無負荷では楕円開口であっても、質量がある大量の生コンクリートの負荷がかかると、図１３に示すように、一対のローラｃを少し後退させる初期開口では、従来のラバーシールと同様に、細長い隙間の開口ｆしか形成できないものであった。
また、コンクリート用ホッパのラバーシール排出ゲートを外部からの付勢により、菱形開口にすることも特許文献４(初期開口ではない)、特許文献５、特許文献６として提案されているが、装置が複雑になり、制作費が高価になり、保守も厄介であった。
【０００５】
また、コンクリート用ホッパ排出ゲートのラバーシールの先端は、図１０(ａ)のように開口が「８」の字になる傾向があり、特に、ラバーシールの開口面積が小さな初期排出での開口が「８」の字になる傾向が顕著である。もっとも、通常の生コンクリートの排出では、生コンクリートの粘性や質量からラバーシールの開口が「８」の字開口になる傾向があっても大量の生コンクリート自体によって外側に押し広げられ支障がないが、しかし、コンクリート用ホッパ内部を水で清掃する場合であって、この清掃後の水を開口面積を小さくして排出する際には、ラバーシールの開口を外側に押し広げる力はなく、清掃後の水がラバーシールの「８」の字の両側の開口から側方に飛散してしまい、周囲の装置を汚してしまうという不都合があった。
これは、上述した特許文献２、特許文献３に開示されている耐摩耗部材を埋め込んだコンクリート用ホッパ排出ゲートのラバーシールも、取付当初の無負荷状態では円形、あるいは、楕円開口を維持するが、ラバーシールを締付部材で常に挟さんだり拡げたりするので、経年変化で図１０(ａ)のようにラバーシールの末端の開口が「８」の字になる傾向にある。
【特許文献１】特開２００１−３４１１２０号公報
【特許文献２】特開平１１−３２１９８５号公報
【特許文献３】特許第３３３３７７２号公報
【特許文献４】特開２００４−１１４３０６号公報
【特許文献５】特願２００４−２７０４２１号
【特許文献６】特願２００５−１３６７５８号
【０００６】
本発明は、前述した不都合に鑑みてなされたもので、コンクリート用ホッパ排出ゲートにおいて、ゲート断面が縦横の比率が大きい従来の開口断面積と同じでも、縦横の比率が小さい、または、円に近い開口として砂利Ｊが詰まらない簡単な構成のホッパ排出ゲートを提供するものであり、また、砂利が詰まらない開口とすることが可能なコンクリート用ホッパ排出ゲートを提供するものである。
さらに、コンクリート用ホッパ内を清掃する際の、排出する水が飛散しないように真下に落下させるコンクリート用ホッパ排出ゲートを提供するものである。
【課題を解決するための手段】
【０００７】
上記の課題を解決するために、請求項１の発明は、コンクリート用ホッパ排出ゲートの筒状のラバーシールであって、ゲートを形成するラバーシールには全体として強制的に円筒形状を維持し、半開状態でも楕円開口を維持するような金属製の弾性板を埋め込み、該弾性板は一対の対向する半円形状の弾性部材であって、共に水平に位置するように設けるとともに、該弾性部材を設けた前記ラバーシールの外側には排出ゲートを形成する締付部に設け、常にラバーシールを強制的に円筒形状を維持するように付勢するとともに、前記締付部は、前記ラバーシールの外側にローラからなる一対の締付部材が相対向する位置に配設され、半開状態で全体が菱形に屈曲する一対のローラであることを特徴とするコンクリート用ホッパ排出ゲートである。
【発明の効果】
【０００８】
本発明によれば、コンクリート用ホッパ排出ゲートにおいて、ゲートを半開状態とする初期段階で、ラバーシールの簡単な構成で、ゲート開口断面の縦横寸法の比率が小さく、又は円に近い開口となるので、ゲートを半開状態でも砂利がゲート開口に詰まることがないという効果が得られ、また、ラバーシールの接触面に対して砂利が無理に通過する量が減ることからラバーシールの耐用期間が延びるとういう効果も得られる。更に、コンクリート用ホッパ排出ゲートが砂利が詰まることがないことから、コンクリートをミキサー車に自動制御により積み込むことが可能となり、生コンクリートの製造からミキサー車に積み込むまでの自動操業が可能となるという効果も得られる。
また、従来のコンクリート用ホッパ排出ゲートのラバーシールの交換だけで、初期開口の排出制御が可能となる効果も得られる。
さらに、ラバーシールの初期の排出開口がほぼ楕円となるので、コンクリート用ホッパ内を水で清掃し、清掃後の水はラバーシールから排出する際には真下に落下するので、従来のようにラバーシールの初期の排出開口が「８」の字になることがないので、側方に飛散することがなく、周囲の装置を汚すことがない。  
【発明を実施するための最良の形態】
【０００９】
[実施例１]
ここで、本発明にラバーシールを使用した好適なコンクリート用ホッパ排出ゲートの実施例１を、図面に沿って説明する。
図１は、セメント、砂利、砂、水等を混合して生コンクリートを製造するホッパ下部の排出口を近傍の断面図で、ホッパ１の下部排出口１１の外側には、筒状のラバーシール２が取り付けバンド等で固定されている。
図１及び図２に示すように、ラバーシール２の外側にローラ４からなる一対の締付部材３がラバーシール２を挟んで相対向する位置に配設され、締付部材３がシリンダ５の伸長によってラバーシール２が互いに押圧して水分が下に漏れないように閉口状態に維持しており、排出ゲートを半開状態、及び、全開状態となる場合には操作部(図示せず)からの指令により、シリンダ５の本体部51a,51bが縮む方向に作動する。
また、この締付部材３及びシリンダ５はホッパ１の下部排出口１１近傍の固定フレーム１２に設けられており、一対の締付部材３の上端は固定フレーム１２の排出口１１近傍の回動軸31a,31bを中心に揺動し、一対の締付部材３の下端はそれぞれ締付部を構成する一対の平行の締付ローラ41a,41bが設けられ、これら締付ローラ41a,41bに伸縮方向にシリンダ５の駆動軸52a,52bが連なっており、フレーム１２に設けられたシリンダ取付部材53a,53bを介して、これも揺動自在に取り付けられている。
【００１０】
ラバーシール２は、図２のＥ部分を拡大した図３に示すように、適度の厚みを有しており、内周に耐磨耗ゴム21が設けられ、外周のゴム22にはナイロンハブ23が埋め込まれ、ラバーシール２の上方はすり鉢状２ａで、下方は円筒状２bでゲートを形成するが、この下方のローラ４により締め付けられる部分２ｂには、一対の金属の弾性部材である弾性板24(24a,24b)が共に水平に位置するように埋め込まれている。
なお、本実施例では、ラバーシールのゴムの中に一対の弾性板24を埋め込んだが、ラバーシール２の下部2bの外側に一対の弾性板を貼り付けて固定してもよい。
【００１１】
この弾性部材としての弾性板24(24a,24b)(図３参照)は、図４(ａ)に示すように、常に、ラバーシール２を強制的に円筒形状となるように付勢したもので、一対の弾性板24(24a,24b)の元の形状はそれぞれ断面半円状である。弾性板24は、このためバネ力を維持し復元力のある金属板としたが、質量がある大量の生コンクリートの負荷がかかっても楕円開口を維持しなければならないから、強力な弾性力があり円筒形状を維持できるのであれば合成樹脂でもよい。
また、この弾性部材24(24a,24b)は、一枚の板ではなく、別の実施例として図４(ｂ)に示すように、細い幅２０cm程度の一対の金属製の復元力を有する弾性帯を、ラバーシール２の下部2bに複数(この実施例では上中下の３本241a〜243a,241b〜243b)埋め込んでもよい。
この場合には、実施例１の弾性板に比べて材料が少なくて済み、且つ、各弾性の弾性力を異なるように設定することが容易であり、締付けローラに対向する弾性帯241a,241bの弾性反発力は、質量がある大量の生コンクリートの負荷がかかっても楕円開口を維持しなければならないから、反発力(弾性力)を強くし、ラバーシール２の開口の弾性帯243a,243bの弾性反発力は、無負荷で開口するだけで良いので、反発力は弱くてもよい。また、この弾性帯241a〜243a,241b〜243も図４(ｂ)の実施例では、ラバーシールのゴムの中に埋め込んだが、ラバーシール２の外側に一対の弾性帯を貼り付けて固定してもよい。
上述した弾性帯241a〜243a,241b〜243bは帯状であるが、弾性復元力があれば棒状のものをラバーシールに埋め込むか、貼り付けてもよく、この場合には製造が簡単である。
【００１２】
ラバーシール２とコンクリート用ホッパ排出ゲートとの以上のような構成についての作動を説明する。
[ラバーシール閉口時]
図２はゲートが閉口状態の図で、締付部材３がシリンダ５のシリンダ軸52(52a,52b)が繰り出され伸長によってラバーシール２を互いに強い押圧力により押圧されている状態Ａにある。
この際、ラバーシール２は弾性板24の弾力により開口すべく外に広がるように付勢されているが、これに反してシリンダ５とローラ４とによる押圧力により潰された形状となり、生コンクリートが排出されるのを阻止している。
【００１３】
[ラバーシール初期開口時]
次に、コンクリート用ホッパ排出ゲートを開口して、ゲート下に待機したミキサー車に生コンクリートを排出し積込み作業を開始するが、前述したように、一度に全開するとミキサー車が飲み込めず溢れてしまったり、生コンクリートがはねて車を汚したりすることから、開口初期にはゲートの開口面積を小さくし、且つ、開口の最小直径をなるべく大きくして、生コンクリートの中の比較的直径の大きな砂利等もスムースに排出しなければならない。
このための構成が本発明の特徴でもあるが、本実施例では図５〜図７に示すような開口状態Ｂになる。
図６に示すように、シリンダ軸52(52a,52b)が若干後退し、これに伴ってローラも後退し、一対の平行ローラ４の間隔を従来よりも若干広くし、この場合に、ラバーシール２は弾性板24の弾力により開口すべく外に広がるが、弾性板24が常にラバーシール２を強制的に円筒形状に維持するように付勢しているので、潰されたラバーシール２の開口両端部近傍(開口距離x1、x2)では内側方向(矢印)に付勢され、逆に、開口中央部(開口距離x3)では外側方向(矢印)に付勢される。
この結果、図６に示すラバーシール２の断面形状のように、中央部が外側に広がった楕円形状となる。この楕円形状は、従来の図１３(b)のほぼ矩形の断面積と同じであっても、中央部での距離ｘ3が図１３(b)の矩形の巾x7よりも大きくなり、したがって、同じ直径の砂利Ｊであっても(従来のラバーシールでは排出が阻止されるが)、本実施例のラバーシール２の初期開口Ｂでは、スムースに排出される。
【００１４】
[ラバーシール全開口時]
次に、コンクリート用ホッパ排出ゲートを全開口にして、ミキサー車に生コンクリートを排出して、短時間の積込み作業を終了させるが、図８〜図９に示すような開口状態Ｃになる。
図８に示すように、シリンダ軸52(52a,52b)が更に後退し、これに伴ってローラも後退すると、ラバーシール２は弾性板24の弾力により開口すべく外に広がるが、さらに、水よりも粘性のある生コンクリートの自重により、ラバーシール２を外に押し広げて下部に排出される。
この場合に、弾性板24の弾力は必要がなく全開口状態となるが、仮に、弾性板24の筒状形状が小さくても、生コンクリートの自重により、更に広がった直径の筒状形状になり、短時間に生コンクリートがミキサー車に排出され積込み作業を終了する。
【００１５】
ところで、ラバーシール２の上部はローラ４に対応する位置にあり、ローラ４に挟まれて互いにの距離が短い初期開口の状態にある場合であって、ラバーシール２の下部2bは開口の近傍まで延びており、これを拡大した斜視図が図１０(ｂ)である。従来の半筒状形状の弾性板のない開口は、図１０(ａ)に示すように生コンクリートを排出しない場合で、ローラ４の間隔も狭い初期開口の場合には、「８」の字開口になる傾向があるが、本実施例では弾性板24の作用によって、図１０(ｂ)のように、中央部x3が最も間隔が広がった楕円形状となる。
これにより、生コンクリートの排出の時は、大量の生コンクリート自体によってラバーシール２が外側に押し広げられ支障がないが、コンクリート用ホッパ内部を水で清掃し、この清掃後の水を排出する際にはラバーシールの開口を外側に押し広げる力はなく、清掃後の水が「８」の字の両側の開口x4、x5から側方に飛散w1してしまい、周囲の装置を汚してしまう。これに反し、本発明の実施例では、清掃後の水w2は中央部x3の最も間隔が広がった楕円形状の開口から真下に落下するので、周囲の装置を汚すことがない。
【００１６】
勿論、水での清掃だけのためであれば、弾性部材24は、ラバーシールのゲートを形成する下部2bの開口の末端近傍だけ、例えば、弾性板24であれば下部の開口の末端近傍だけ、図４(ｂ)の弾性帯であれば、一番下の弾性帯243a,243bだけであっても、十分に作用・効果を有する。
すなわち、従来の特許文献２、特許文献３に開示されている耐摩耗部材を埋め込んだだけのラバーシールは、初期開口において、取付当初の無負荷状態では円形あるいは楕円開口を維持するが、ラバーシールを締付ローラで常に挟さんだり拡げたりするので、経年変化で開口部分が変形し、図１０(a)のようにラバーシールの末端の開口が「８」の字になる傾向にある。これに対して、本発明の実施例のラバーシールでは、下部2bの開口の末端近傍に弾性板24,弾性帯243a,243bを設けることにより、長期に亘りラバーシールを締付ローラで常に挟さんだり拡げたりしても、初期開口において(開口面積が小さい)、ほぼ無負荷状態(水排出の場合)でもラバーシールの末端では楕円開口(あるいは円形開口)を維持することができる。
【００１７】
以上のように、実施例１のコンクリート用ホッパ排出ゲートでは、ゲートを半開状態とする初期段階では、一対の平行ローラの間隔を従来よりも若干広くでき、ラバーシールの開口断面を縦に対する横の比率が小さい楕円開口Ｂとしたので、ゲートの排出断面積が同じでも、従来のゲート断面が縦に対する横の比率が大きい細長い開口とは異なり、図６、図７に示すように、コンクリート中に混在する径の大きな砂利(直径４cm以下)Ｊ等が通過し、全開口Ｃに引っ掛かることもなく、結果として全開口Ｃに砂利が詰まることが無くなる。
【００１８】
[実施例２]
本発明にラバーシールを使用した好適なコンクリート用ホッパ排出ゲートの実施例２を、図１１に沿って説明する。
実施例２に示すコンクリート用ホッパ排出ゲートは、ゲートを半開状態とする初期段階では、実施例１で一本のローラ４を二本の直列のローラ６の配列として、二本の直列のローラ６の押圧連結部材61を屈曲させて「く」の字状として後退させるものである。
すなわち、ラバーシール２の外側にローラ６からなる一対の締付部材３がラバーシール２を挟んで相対向する位置に配設され、該締付部は全体が菱形に屈曲するローラ6a,6bを対向するように一対に設けたもので、ラバーシール２の開口断面を縦横の比率が小さい楕円開口(菱形開口)Ｂ'としたコンクリート用ホッパ排出ゲートに本発明のラバーシール２を適用したものである。
なお、図１１からも明らかなように、実施例２の締付部は実施例１と同様に、この下方の締め付けローラ６a,６bにより締め付けられるラバーシール２には、一対の金属製の弾性部材である弾性板24(24a,24b)が共に水平に位置するように埋め込まれおり、ラバーシール２を強制的に円筒形状となるように付勢したもので、一対の弾性板24(24a,24b)の元の形状は、全体としては筒状形状であるが、それぞれ断面半円状である。このように、弾性板24はバネ力を維持し復元力のある金属板であり円筒形状を維持できる。
このコンクリート用ホッパ排出ゲート自体は、本発明者が、特許文献５(特願2004-270421号)、特許文献６(特願2005-136758号)として既に提案しているものであるが、この連結ローラの屈曲型の開口に本実施例のラバーシール２を用いることにより、的確で迅速に追従して楕円開口Ｂ'、及び、円形開口Ｃ'を実現するものである。
【００１９】
[ラバーシール閉口時]
図１１(ａ)は、実施例２でのラバーシール２のゲートが閉口状態を示す図であるが、その構成の概略を説明すると、実施例１と同様に、ラバーシール２の外側にローラ６からなる一対の締付部材３がラバーシール２を挟んで相対向する位置に配設され、締付部材３がシリンダ５の伸長によってラバーシール２が互いに押圧して水分が下に漏れないように閉口状態Ａ'に維持しており、排出ゲートを半開状態、及び全開状態となる場合には操作部からの指令により、シリンダ５の本体部51が縮む方向に作動する。この締付部材３及びシリンダ５はホッパ１の下部排出口(図１参照)近傍の固定フレームに設けられており、一対の締付部材３の上端は固定フレームの排出口近傍の回動軸(図１の31参照)を中心に揺動し、一対の締付部材３の下端はそれぞれ直列の締付ローラ6a,6bが設けられ、これら締付ローラ6a,6bに伸縮方向にシリンダ５の駆動軸52が連なっており、フレームに設けられたシリンダ取付部材を介して締付部材３の枠体32も揺動自在に取り付けられている。
すなわち、前記直列の締付ローラ6a,6bは、ラバーシール２の押圧機能を兼ねた押圧連結部材61により連結され、ラバーシール２は締付ローラ6a,6bと押圧連結部材61とにより一直線の面z1で締付けられ、ゲートが閉口状態Ａ'に維持されている。なお、ラバーシール２の構成は、実施例１と同じである。
【００２０】
[ラバーシール初期開口時]
次に、図１１(ｂ)に示すように、シリンダ軸52が若干後退し、これに伴ってローラも後退し、一対の直列の締付ローラ6a,6bと対向する締付ローラ(同様の構成であり図示せず)の間隔を広くする。この場合に、直列の締付ローラ6a,6bの外側の軸42a,42bは、押圧連結部材61に引っ張られた際に、側枠体321a,321bに軸方向に滑るように支持されており、枠体32(321)は対向する枠体(図示せず)とバネにより互いに引っ張り合っているのでｙ方向の力が働くので、締付ローラ6a,6bの中央の押圧連結部材61に引きずられ(シリンダによるｘ方向)て、約半楕円形状(全体としては、左右対称の一対のシリンダにより、ほぼ楕円形状となる)となる。したがって、押圧されているラバーシール２も、弾性板24a,24bの元の形状が筒状形状であり、両者の形状も同じ傾向となることから、的確で迅速に追従して楕円開口Ｂ'が実現する。
この際の生コンクリートの排出作動は実施例１と同様である。
【００２１】
[ラバーシール全開口時]
次に、コンクリート用ホッパ排出ゲートを全開にして、ミキサー車に生コンクリートに排出するが、図１１(ｃ)に示すような開口状態Ｃ'になる。
図１１(ｃ)に示すように、シリンダ軸52が更に後退するが、シリンダ軸52の押圧連結部材61の近傍に設けられたストッパ54が枠体32にぶつかり、シリンダ５は枠体32自体を後退させ、これに伴ってローラも後退する。
この場合は、実施例１のラバーシール全開口時と同じで、ラバーシール２は弾性板24の弾力により開口すべく外に広がるが、さらに、水よりも粘性のある生コンクリートの自重により、ラバーシール２を外に押し広げて下部に排出される。
この場合に、弾性板24の弾力は必要がなくほぼ円形の全開口状態Ｃ'となるが、仮に、弾性板24の筒状形状が小さくても、生コンクリートの自重により、更に広がった直径の筒状形状になることは、実施例１と同じであるが、実施例２は実施例１に比べてラバーシールの弾性板24の元の形状に戻る復元力が弱くてもよい。
また、ラバーシール２の上部はローラ４に対応する位置にあるが、下部は開口の近傍まで延びており、作用は実施例１と同じである。
【００２２】
以上のように、実施例２のコンクリート用ホッパ排出ゲートでも、ゲートを半開状態とする初期段階では、一対の直列の締付ローラ6a,6bと押圧連結部材61とを積極的に楕円形状に配列して、ラバーシール２の開口断面を縦横の比率が小さい楕円開口Ｃ'としたことで、ゲートの排出断面積は同じでも、従来のゲート断面が縦横の比率が大きい細長い開口とは異なり、コンクリート中に混在する径の大きな砂利(直径5cm以下)Ｊ等が通過し、円形開口(楕円開口)Ｃ’に引っ掛かることもなく、結果として円形開口Ｃ'に砂利が詰まることが無くなり、ラバーシール２の耐久性も向上する。
【産業上の利用可能性】
【００２３】
本発明の特徴を損なうものでなければ、上記の実施例に限定されるものでないことは勿論であり、コンクリート用以外でも、液状物と個体とを混合するゲートとして使用しても良い。
【図面の簡単な説明】
【００２４】
【図１】本発明の実施例１のコンクリート用ホッパ排出ゲートの閉状態を示す断面図、
【図２】図１のゲート主要部の平面図、
【図３】図２の範囲Ｅのラバーシールの断面拡大図、
【図４】図４(a)は実施例１のラバーシールに埋め込む一対の弾性部材として弾性板の斜視図、図４(ｂ)は、弾性部材として複数の弾性帯の斜視図、
【図５】実施例１のコンクリート用ホッパ排出ゲートの開口初期の半開状態のゲート主要部の平断面図、
【図６】図５のゲート主要部の平面図、
【図７】図６の作動状態を説明する側断面図、
【図８】実施例１のコンクリート用ホッパ排出ゲートの全開状態を示す平面図、
【図９】図８の作動状態を説明する平面図、
【図１０】図１０(a)は従来のラバーシール末端の開口状態を示す斜視図、図１０(ｂ)は実施例１、２のラバーシール末端の開口状態を示す斜視図、
【図１１】本発明の実施例２のコンクリート用ホッパ排出ゲートの作動状態を説明するゲート主要部の平面図、
【図１２】従来のコンクリート用ホッパ排出ゲートの閉状態を示す断面図、平面図、
【図１３】従来のコンクリート用ホッパ排出ゲートの半開状態を示す断面図、平面図、
【図１４】従来のコンクリート用ホッパ排出ゲートの全開状態を示す断面図、及び平面図である。
【符号の説明】
【００２５】
Ｊ…砂利、Ａ,Ａ'…閉状態の開口、Ｂ,Ｂ'…初期開口(楕円開口：半開口)、
Ｃ,Ｃ'…円形開口(全開口)、
w1,w2…清掃水、x1,x2…両端部近傍での開口距離、x3…中央部での開口距離、
y…ばねの方向、z2…閉状態の開口線、
１…ホッパ、11…下部排出口、12…固定フレーム
２…ラバーシール、21…耐磨耗ゴム、22…外周ゴム、23…ナイロンハブ、
24,24a,24b…弾性板(弾性部材)、
241a,241b,242a,242b,243a,243b…弾性帯(弾性部材)
３…締付部材、31a,31b…回動軸、32…枠体、321a,321b…側枠体
４,６…締付ローラ、41a,41b,6a,6b…締付ローラ、42a,42b…ローラ軸、
５…シリンダ、51,51a,51b…シリンダ本体、52,52a,52b…シリンダ駆動軸、
53a,53b…シリンダ取付部材、54…ストッパ、
61…押圧連結部材、
【図１】
0004787565.tif 000002
【図２】
0004787565.tif 000003
【図３】
0004787565.tif 000004
【図４】
0004787565.tif 000005
【図５】
0004787565.tif 000006
【図６】
0004787565.tif 000007
【図７】
0004787565.tif 000008
【図８】
0004787565.tif 000009
【図９】
0004787565.tif 000010
【図１０】
0004787565.tif 000011
【図１１】
0004787565.tif 000012
【図１２】
0004787565.tif 000013
【図１３】
0004787565.tif 000014
【図１４】
0004787565.tif 000015